(57)【要約】【課題】メータリングを備えたメータの、より多様な表現を行うことができる「車載表示システム」を提供する。【解決手段】左右の枠エレメント１０２を左右方向に移動可能に設ける。左の枠エレメント１０２は円環の左側半分の形状を有し、右の枠エレメント１０２は円環の右側半分の形状を備えている。そして、左の枠エレメント１０２がディスプレイ１０１に表示したスピードメータ画像６０２の左側を囲み、右の枠エレメント１０２がディスプレイ１０１に表示したタコメータ画像６０３の右側を囲むように、各枠エレメント１０２を左右に離間して位置づける。そして、二つの枠補間パーツ画像６０５を、左右の枠エレメント１０２の上の端同士と下の端同士をそれぞれ連結する形状と配置でディスプレイ１０１に表示する（ａ３）。【選択図】図６
2014202516.tif 000002
【特許請求の範囲】
【請求項１】
ユーザに提示する情報を表した画像である情報提示画像を表示する、自動車に搭載される車載表示システムであって、
ディスプレイと、
ディスプレイの表示面上に配置された複数の、各々が一つの閉じた枠の異なる部分に相当する形状を有する枠エレメントと、
前記枠エレメントを、前記ディスプレイの表示面に沿って移動する移動機構と、
前記移動機構を介して前記各枠エレメントの位置を制御すると共に、前記ディスプレイの表示を制御する制御部とを有し、
前記制御部には、複数の表示モードを設定可能であり、当該制御部は、前記複数の表示モードの内の第１の表示モードが設定されているときに、
前記複数の枠エレメントが離間するように当該複数の枠エレメントの位置を制御し、
当該複数の枠エレメント端部間を連結する枠部分を表現した画像である枠補間部品画像を、前記複数の枠エレメントと前記枠補間部品画像で一つの閉じた枠が形成されるように前記ディスプレイに表示すると共に、
前記複数の枠エレメントと前記枠補間部品画像で形成された枠内に、前記情報提示画像を表示することを特徴とする車載表示システム。
【請求項２】
請求項１記載の車載表示システムであって、
前記複数の枠エレメントは、当該複数の枠エレメントの端部を相互に接する位置に移動可能であって、当該複数の枠エレメントが当該複数の枠エレメントの端部が相互に接する位置にあるときに、当該複数の枠エレメントのみにより一つの閉じた枠が形成されると共に、
前記制御部は、前記複数の表示モードの内の第２の表示モードが設定されているときに、
前記複数の枠エレメントの端部が相互に接する位置となるように当該複数の枠エレメントの位置を制御し、
前記枠補間部品画像の表示を行わずに、前記複数の枠エレメントのみにより形成された枠内に、前記情報提示画像を表示することを特徴とする車載表示システム。
【請求項３】
請求項１または２記載の車載表示システムであって、
前記複数の枠エレメントとして、閉じた枠の左側半分の形状を有する左枠エレメントと、当該左枠エレメントの右側に配置した、閉じた枠の右側半分の形状を有する右枠エレメントとを備え、
前記移動機構は、前記左枠エレメントと前記右枠エレメントとを左右方向に移動し、
前記制御部は、前記第１の表示モードが設定されているときに、
前記左枠エレメントと前記右枠エレメントとが左右に離間するように前記左枠エレメントと前記右枠エレメントとの位置を制御し、
前記枠補間部品画像として、前記左枠エレメントと右枠エレメントとの上の端同士を左右に連結する枠上部補間部品画像と、前記左枠エレメントと右枠エレメントとの下の端同士を左右に連結する枠下部補間部品画像とを、前記左枠エレメントと前記右枠エレメントと前記枠上部補間部品画像と前記枠下部補間部品画像とで、一つの閉じた枠が形成されるように前記ディスプレイに表示することを特徴とする車載表示システム。
【請求項４】
請求項３記載の車載表示システムであって、
前前記左枠エレメントは、円環状のメータリングの左側半分の形状を有し、前記右枠エレメントは、円環状のメータリングの右側半分の形状を有し、
前記制御部は、前記第１の表示モードが設定されているときに、前記枠上部補間部品画像と前記枠下部補間部品画像とを、前記左枠エレメントと前記右枠エレメントと前記枠上部補間部品画像と前記枠下部補間部品画像とで、一つの閉じた角丸長方形形状の枠が形成されるように前記ディスプレイに表示することを特徴とする車載表示システム。
【請求項５】
請求項４記載の車載表示システムであって、
前記制御部は、前記第１の表示モードが設定されているときに、前記情報提示画像として、前記左枠エレメントに左側半分が囲まれるように配置した、円形のメータを表す第１のメータ画像と、前記右枠エレメントに右側半分が囲まれるように配置した、円形のメータを表す第２のメータ画像とを表示することを特徴とする車載表示システム。
【請求項６】
請求項４記載の車載表示システムであって、
前記左枠エレメントと前記右枠エレメントとは、上の端同士と下の端同士が相互に接する位置に移動可能であって、前記左枠エレメントと前記右枠エレメントとが上の端同士と下の端同士が相互に接する位置にあるときに、前記左枠エレメントと前記右枠エレメントとのみにより一つの閉じた円環形状の枠が形成されると共に、
前記制御部は、前記複数の表示モードの内の第２の表示モードが設定されているときに、
前記左枠エレメントと前記右枠エレメントとが上の端同士と下の端同士が相互に接する位置となるように、前記左枠エレメントと前記右枠エレメントとの位置を制御し、
前記枠上部補間部品画像と前記枠下部補間部品画像の表示を行なわずに、前記情報提示画像として、前記左枠エレメントと前記右枠エレメントとにより形成された円環形状の枠に囲まれるように配置した、円形のメータを表すメータ画像を表示することを特徴とする車載表示システム。
【請求項７】
請求項５記載の車載表示システムであって、
前記左枠エレメントと前記右枠エレメントとは、上の端同士と下の端同士が相互に接する位置に移動可能であって、前記左枠エレメントと前記右枠エレメントとが上の端同士と下の端同士が相互に接する位置にあるときに、前記左枠エレメントと前記右枠エレメントとのみにより一つの閉じた円環形状の枠が形成されると共に、
前記制御部は、前記複数の表示モードの内の第２の表示モードが設定されているときに、
前記枠上部補間部品画像と前記枠下部補間部品画像の表示を行わずに、前記情報提示画像として、前記左枠エレメントと前記右枠エレメントとにより形成された円環形状の枠に囲まれるように配置した、円形のメータを表す第３のメータ画像を表示することを特徴とする車載表示システム。
【請求項８】
請求項３、４、５、６または７記載の車載表示システムであって、
前記枠上部補間部品画像と前記枠下部補間部品画像とは、左右方向の端部から左右方向の中央に向かって徐々に明るさが減じる画像であることを特徴とする車載表示システム。
【請求項９】
請求項１または２記載の車載表示システムであって、
前記複数の枠エレメントとして、閉じた枠の左上側１/４部分の形状を有する左上枠エレメントと、上下方向位置が前記左上枠エレメントよりも下方となるように配置した、閉じた枠の左下側１/４部分の形状を有する左下枠エレメントと、上下方向位置が前記左上枠エレメントと一致し、左右方向位置が前記左上枠エレメントよりも右方となるように配置した、前記閉じた枠の右上側１/４部分の形状を有する右上枠エレメントと、上下方向位置が前記左下枠エレメントと一致し、左右方向位置が前記左下枠エレメントの右方となるように配置した、閉じた枠の右下側１/４部分の形状を有する右下枠エレメントを備えたことを特徴とする車載表示システム。
【請求項１０】
請求項１、２、３、４、５、６、７、８または９記載の車載表示システムであって、
前記制御部は、前記情報提示画像を、当該情報提示画像の明度を下方ほど大きな減少率で減少させて前記ディスプレイに表示することを特徴とする車載表示システム。
【発明の詳細な説明】
【技術分野】
【０００１】
本発明は、自動車の計器盤に設けられる車載表示システムに関するものである。
【背景技術】
【０００２】
自動車の計器盤に設けられる車載表示システムとしては、左右方向に並べて配置された二つのメータと、当該二つのメータ間に配置された液晶表示装置を備えた車載表示システムが知られている（たとえば、特許文献１）。この車載表示システムの各メータは他方のメータ方向側端の一部分が欠損したメータリングを備えており、液晶表示装置には、各種情報の他、二つのメータリングの間を接続する画像が表示される。
【０００３】
また、自動車の計器盤に設けられる車載表示システムとしては、液晶表示装置と、液晶表示装置の表示面上を左右に移動可能に設けられたメータリングを備え、所望の位置に配置したメータリング内にメータを表す画像を液晶表示装置に表示することにより、任意の位置にメータリングを備えたメータを表現可能とした車載表示システムも知られている（たとえば、特許文献２）。
【先行技術文献】
【特許文献】
【０００４】
【特許文献１】特開２０１２-３２２０９号公報
【特許文献２】特許第４６４８６８１号公報
【発明の概要】
【発明が解決しようとする課題】
【０００５】
上述したような車載表示システムによれば、表現可能なメータリングを備えたメータの数は固定であり、また、その形状やサイズもおおよそメータリングの形状、サイズによって制限されてしまう。
そして、このために、メータリングを備えたメータの多様な表現を行うことが困難であった。
そこで、本発明は、メータリングを備えたメータ等の、枠で囲まれた表示器の、より多様な表現を行うことができる車載表示システムを提供することを課題とする。
【課題を解決するための手段】
【０００６】
前記課題達成のために、本発明は、ユーザに提示する情報を表した画像である情報提示画像を表示する、自動車に搭載される車載表示システムに、ディスプレイと、ディスプレイの表示面上に配置された複数の、各々が一つの閉じた枠の異なる部分に相当する形状を有する枠エレメントと、前記枠エレメントを、前記ディスプレイの表示面に沿って移動する移動機構と、前記移動機構を介して前記各枠エレメントの位置を制御すると共に、前記ディスプレイの表示を制御する制御部とを設けたものである。ここで、前記制御部に、複数の表示モードを設定可能であり、当該制御部は、前記複数の表示モードの内の第１の表示モードが設定されているときに、前記複数の枠エレメントが離間するように当該複数の枠エレメントの位置を制御し、当該複数の枠エレメント端部間を連結する枠部分を表現した画像である枠補間部品画像を、前記複数の枠エレメントと前記枠補間部品画像で一つの閉じた枠が形成されるように前記ディスプレイに表示すると共に、前記複数の枠エレメントと前記枠補間部品画像で形成された枠内に、前記情報提示画像を表示する。
【０００７】
ここで、このような車載表示システムは、前記複数の枠エレメントを、当該複数の枠エレメントの端部を相互に接する位置に移動可能であって、当該複数の枠エレメントが当該複数の枠エレメントの端部が相互に接する位置にあるときに、当該複数の枠エレメントのみにより一つの閉じた枠が形成されるように構成し、前記制御部において、前記複数の表示モードの内の第２の表示モードが設定されているときに、前記複数の枠エレメントの端部が相互に接する位置となるように当該複数の枠エレメントの位置を制御し、前記枠補間部品画像の表示を行わずに、前記複数の枠エレメントのみにより形成された枠内に、前記情報提示画像を表示するようにしてもよい。
【０００８】
また、これらの車載表示システムは、前記複数の枠エレメントを、閉じた枠の左側半分の形状を有する左枠エレメントと、当該左枠エレメントの右側に配置した、閉じた枠の右側半分の形状を有する右枠エレメントとし、前記移動機構において前記左枠エレメントと前記右枠エレメントとを左右方向に移動するようにし、前記制御部において、前記第１の表示モードが設定されているときに、前記左枠エレメントと前記右枠エレメントとが左右に離間するように前記左枠エレメントと前記右枠エレメントとの位置を制御し、前記枠補間部品画像として、前記左枠エレメントと右枠エレメントとの上の端同士を左右に連結する枠上部補間部品画像と、前記左枠エレメントと右枠エレメントとの下の端同士を左右に連結する枠下部補間部品画像とを、前記左枠エレメントと前記右枠エレメントと前記枠上部補間部品画像と前記枠下部補間部品画像とで、一つの閉じた枠が形成されるように前記ディスプレイに表示するようにしてもよい。
【０００９】
また、この場合には、前前記左枠エレメントの形状を、円環状のメータリングの左側半分の形状とし、前記右枠エレメントの形状を、円環状のメータリングの右側半分の形状とし、前記制御部は、前記第１の表示モードが設定されているときに、前記枠上部補間部品画像と前記枠下部補間部品画像とを、前記左枠エレメントと前記右枠エレメントと前記枠上部補間部品画像と前記枠下部補間部品画像とで、一つの閉じた角丸長方形形状の枠が形成されるように前記ディスプレイに表示するようにしてもよい。
【００１０】
また、このように、前前記左枠エレメントの形状を、円環状のメータリングの左側半分の形状とし、前記右枠エレメントの形状を、円環状のメータリングの右側半分の形状とした場合には、前記制御部において、前記第１の表示モードが設定されているときに、前記情報提示画像として、前記左枠エレメントに左側半分が囲まれるように配置した、円形のメータを表す第１のメータ画像と、前記右枠エレメントに右側半分が囲まれるように配置した、円形のメータを表す第２のメータ画像とを表示するようにしてもよい。
【００１１】
また、このように、前前記左枠エレメントの形状を、円環状のメータリングの左側半分の形状とし、前記右枠エレメントの形状を、円環状のメータリングの右側半分の形状とした場合には、前記左枠エレメントと前記右枠エレメントとは、上の端同士と下の端同士が相互に接する位置に移動可能であって、前記左枠エレメントと前記右枠エレメントとが上の端同士と下の端同士が相互に接する位置にあるときに、前記左枠エレメントと前記右枠エレメントとのみにより一つの閉じた円環形状の枠が形成されるようにすると共に、前記制御部において、前記複数の表示モードの内の第２の表示モードが設定されているときに、前記左枠エレメントと前記右枠エレメントとが上の端同士と下の端同士が相互に接する位置となるように、前記左枠エレメントと前記右枠エレメントとの位置を制御し、前記枠上部補間部品画像と前記枠下部補間部品画像の表示を行なわずに、前記情報提示画像として、前記左枠エレメントと前記右枠エレメントとにより形成された円環形状の枠に囲まれるように配置した、円形のメータを表すメータ画像を表示するようにしてもよい。
【００１２】
また、以上のように左枠エレメントと前記右枠エレメントを設けた車載表示システムにおいては、前記枠上部補間部品画像と前記枠下部補間部品画像とは、左右方向の端部から左右方向の中央に向かって徐々に明るさが減じる画像としてもよい。
なお、以上の車載表示システムには、前記複数の枠エレメントとして、閉じた枠の左上側１/４部分の形状を有する左上枠エレメントと、上下方向位置が前記左上枠エレメントよりも下方となるように配置した、閉じた枠の左下側１/４部分の形状を有する左下枠エレメントと、上下方向位置が前記左上枠エレメントと一致し、左右方向位置が前記左上枠エレメントよりも右方となるように配置した、前記閉じた枠の右上側１/４部分の形状を有する右上枠エレメントと、上下方向位置が前記左下枠エレメントと一致し、左右方向位置が前記左下枠エレメントの右方となるように配置した、閉じた枠の右下側１/４部分の形状を有する右下枠エレメントを設けるようにすることもできる。
【００１３】
なお、以上の各車載表示システムは、前記制御部において、前記情報提示画像を、当該情報提示画像の明度を下方ほど大きな減少率で減少させて前記ディスプレイに表示するようにしてもよい。
以上のような車載表示システムによれば、枠エレメントの移動と枠補間部品画像の表示により、情報提示画像を囲む枠のサイズや形態を任意に設定できるので、メータリングを備えたメータ等の枠で囲まれた表示器を、多様な形態、サイズで一体感ある自然な形態で表現することができる。
【発明の効果】
【００１４】
以上のように、本発明によれば、メータリングを備えたメータ等の、枠で囲まれた表示器の、より多様な表現を行うことができる車載表示システムを提供することができる。
【図面の簡単な説明】
【００１５】
【図１】本発明の実施形態に係る車載システムの構成を示すブロック図である。
【図２】本発明の実施形態に係るディスプレイユニットの構造を示す図である。
【図３】本発明の実施形態に係る表示モードテーブルと枠補間パーツデータを示す図である。
【図４】本発明の実施形態に係る表示制御処理を示すフローチャートである。
【図５】本発明の実施形態に係るディスプレイユニットの表示例を示す図である。
【図６】本発明の実施形態に係るディスプレイユニットの表示例を示す図である。
【図７】本発明の実施形態に係るディスプレイユニットの表示例を示す図である。
【図８】本発明の実施形態に係るディスプレイユニットの他の構造例を示す図である。
【図９】本発明の実施形態に係るディスプレイユニットの他の構造例と表示例を示す図である。
【図１０】本発明の実施形態に係るディスプレイユニットの他の構造例による表示例を示す図である。
【発明を実施するための形態】
【００１６】
以下、本発明の実施形態について説明する。
図１に本実施形態に係る車載システムの構成を示す。
ここで、車載システムは、自動車に搭載されるシステムであり、図示するように、ディスプレイ１０１と二つの枠エレメント１０２と移動機構と１０３よりなるディスプレイユニット１０を備えている。また、車載システムは、ディスプレイ１０１の表示を制御するディスプレイコントローラ１１、制御装置１２、入力装置１３、記憶装置１４、１または複数の機能システム１５を備えている。
【００１７】
ここで、機能システム１５は、たとえば、自動車の各種状態を監視する監視システムや、バックカメラで自動車後方を撮影するバックカメラシステムや、ＡＶシステムや、ナビゲーションシステムなどであり、各々ディスプレイ１０１に表示する画像や画面を規定するグラフィックスオブジェクトを制御装置１２に出力する。
なお、このような車載システムは、ＣＰＵやメモリを備えたコンピュータを用いて構成されるものであってよく、この場合、機能システム１５や制御装置１２、または、その一部は、コンピュータが所定のコンピュータプログラムを実行することにより実現されるものであってよい。
次に、図２ａに、ディスプレイユニット１０の構造を示す。
図示するように、ディスプレイユニット１０の移動機構１０３は、ディスプレイ１０１の上方に横架したガイドレール１０４１と、二つの枠エレメント１０２のそれぞれに対応して設けた移動ユニットを備えている。
そして、各枠エレメント毎に設けられる各移動ユニットは、ディスプレイ１０１の下方に配置した、ネジ１０４２、ネジ１０４２にナット状に螺合した移動ステージ１０４３、ネジ１０４２を回転駆動するアクチュエータ１０４４より構成されており、アクチュエータ１０４４でネジ１０４２を回転することにより、移動ステージ１０４３が左右に移動する。
【００１８】
なお、アクチュエータ１０４４は、たとえば、サーボモータやステッピングモータを用いて構成される。
次に、各枠エレメント１０２の上部には透明な上部連結部材１０２１が、枠エレメント１０２の下部には透明な下部連結部材１０２２が固定されている。そして、枠エレメント１０２に固定した下部連結部材１０２２を、その枠エレメント１０２に対応する移動ユニットの移動ステージ１０４３に連結し、上部連結部材１０２１をガイドレール１０４１にスライド可能に装着することにより、枠エレメント１０２は、移動ユニットによって図２ｂ、ｃに示すように左右方向に移動可能に、ディスプレイ１０１の表示面上に配置される。
【００１９】
また、図示するように、二つの枠エレメント１０２は、半円環状の部材であり、左の枠エレメント１０２は円環の左側半分の形状を有し、右の枠エレメント１０２は円環の右側半分の形状を備えており、図２ｃに示すように、両枠エレメントを当接させることにより、一つの円環状のメータリングが形成されるようになっている。
【００２０】
そして、このようなディスプレイユニット１０は、図２ｄに示すように、自動車のメータクラスタ下方の計器盤に、移動機構１０３を隠蔽した形態で設置される。
図１に戻り、記憶装置１４には、予め表示モードテーブルと枠補間パーツデータが記憶されている。
ここで、車載システムは、表示モードとして複数の表示モードを備えており、図３ａに示すように、表示モードテーブルには各表示モード毎に対応して、表示オブジェクト情報と、枠エレメント位置とが登録される。
そして、表示オブジェクト情報には、対応する表示モードが設定されているときに、ディスプレイ１０１に表示するグラフィックスオブジェクトである表示オブジェクト毎に、表示オブジェクトの識別子となるオブジェクト名と、表示オブジェクトを表示するサイズと、表示オブジェクトを表示する位置と、透明度や配色などの表示オブジェクトの各種の表示属性とが登録されている。
【００２１】
ここで、表示モードテーブルの表示オブジェクト情報には、機能システム１５が出力する各グラフィックスオブジェクトと、以下に述べる枠補間パーツ画像を表示オブジェクトとして登録することができる。
また、枠エレメント位置には、対応する表示モードが設定されているときに、左右の枠エレメント１０２のそれぞれを配置する位置が登録されている。
次に、図３ｂに示すように、枠補間パーツデータには、予め用意した複数の枠補間パーツ画像の各々毎に設けた枠補間パーツレコードが登録されており、各枠補間パーツレコードには、対応する枠補間パーツ画像のオブジェクト名、対応する枠補間パーツ画像とが登録されている。ここで、詳細は後述するが、枠補間パーツ画像は、枠エレメント１０２間を連結する画像を規定するグラフィックスオブジェクトである。
【００２２】
次に、このような構成において、制御装置１２が行う表示制御処理について説明する。
図４に、この表示制御処理の手順を示す。
図示するように、制御装置１２は、表示モードの変化を監視する（ステップ４０２）。ここで、制御装置１２は、表示モードを、ユーザの入力装置１３を介した表示モード切り替え操作や、監視システムが監視している自動車の状態の変化に応じて変更する。
そして、表示モードの変化が発生したならば、表示モードテーブルの現在の表示モードの表示オブジェクト情報に登録されている、各表示オブジェクトのオブジェクト名、位置、サイズ、表示属性を取得する（ステップ４０４）。
そして、表示モードテーブルの現在の表示モードの枠エレメント位置に登録されている位置に、左右の枠エレメント１０２を移動機構１０３を制御して移動する（ステップ４０６）。
そして、ステップ４０４で、オブジェクト名を取得した各表示オブジェクトの、取得したサイズでの取得した位置への取得した表示属性による表示制御を開始する（ステップ４０８）。
そして、ステップ４０２の監視に戻る。
以下、以上のような構成、動作によって、本実施形態において実現する表示例について説明する。
まず、図５ａは、表示モードとして、「バックカメラ付加モード」が設定されているときの表示のようすを表している。
図５ａ１に示すように、「バックカメラ付加モード」では、表示オブジェクトとして、監視システムが出力するグラフィックスオブジェクトの一つである、自動車の速度と燃料量を表す円形の燃料計内蔵スピードメータ画像５０１と、バックカメラシステムが出力するグラフィックスオブジェクトの一つである、バックカメラ画像５０２とを表示オブジェクトとし、図５ａ２に示すように、各表示オブジェクトを配置した画像をディスプレイ１０１に表示する。すなわち、図５ａ２に示す画像を定義するように、表示モードテーブルの「バックカメラ付加モード」の表示オブジェクト情報を登録しておく。
【００２３】
また、「バックカメラ付加モード」では、図５ａ３に示すように、左右の枠エレメント１０２を、燃料計内蔵スピードメータ画像５０１を囲むように連結する位置に位置づけ、一つの円環状のメータリングを形成する。すなわち、左右の枠エレメント１０２が図５ａ３に示す位置となるように、表示モードテーブルの「バックカメラ付加モード」の枠エレメント位置を登録しておく。
【００２４】
次に、図５ｂは、表示モードとして、「ナビゲーション+プレイヤ付加モード」が設定されているときの表示のようすを表している。
図５ｂ１に示すように、「ナビゲーション+プレイヤ付加モード」では、表示オブジェクトとして、ＡＶシステムが出力するグラフィックスオブジェクトの一つである、再生中楽曲情報画面５１１と、監視システムが出力するグラフィックスオブジェクトの一つである、円形の燃料計内蔵スピードメータ画像５１２と、ナビゲーションシステムが出力するグラフィックスオブジェクトの一つである、ナビゲーション画面５１３とを表示オブジェクトとし、図５ｂ２に示すように各表示オブジェクトを配置した画像をディスプレイ１０１に表示する。すなわち、図５ｂ２に示す画像を定義するように、表示モードテーブルの「ナビゲーション+プレイヤ付加モード」の表示オブジェクト情報を登録しておく。
【００２５】
また、「ナビゲーション+プレイヤ付加モード」では、図５ｂ３に示すように、左右の枠エレメント１０２を、燃料計内蔵スピードメータ画像５１１を囲むように連結する位置に位置づけ、一つの円環状のメータリングを形成する。すなわち、左右の枠エレメント１０２が図５ｂ３に示す位置となるように、表示モードテーブルの「ナビゲーション+プレイヤ付加モード」の枠エレメント位置を登録しておく。
【００２６】
次に、図６ａは、表示モードとして、「ノーマルモード」が設定されているときの表示のようすを表している。
図６ａ１に示すように、「ノーマルモード」では、表示オブジェクトとして、各々監視システムが出力するグラフィックスオブジェクトである、燃料計画像６０１と円形のスピードメータ画像６０２と円形のタコメータ画像６０３と温度計画像６０４と、二つの枠補間パーツ画像６０５とを表示オブジェクトとし、図６ａ２に示すように、燃料計画像６０１、スピードメータ画像６０２、タコメータ画像６０３、温度計画像６０４を当該順序で左から配置すると共に、二つの枠補間パーツ画像６０５を画面の左右方向中央に上下に一つづつ配置した画像をディスプレイ１０１に表示する。すなわち、図６ａ２に示す画像を定義するように、表示モードテーブルの「ノーマルモード」の表示オブジェクト情報を登録しておく。
【００２７】
また、「ノーマルモード」では、図６ａ３に示すように、左の枠エレメント１０２がスピードメータ画像６０２の左側を囲み、右の枠エレメント１０２がタコメータ画像６０３の右側を囲むように、左右に離間して位置づける。すなわち、左右の枠エレメント１０２が図６ａ３に示す位置となるように、表示モードテーブルの「ノーマルモード」の枠エレメント位置を登録しておく。
【００２８】
さて、ここで、「ノーマルモード」において用いる二つの枠補間パーツ画像６０５は、図６ａ３に示す左右の枠エレメント１０２が左右に離れた配置において、左右の枠エレメント１０２の上の端同士と下の端同士をそれぞれ連結する形状と配置でディスプレイ１０１に表示する。
【００２９】
この結果、図６ａ３に示すように、左右の枠エレメント１０２と上下の枠補間パーツ画像６０５によって、スピードメータ画像６０２とタコメータ画像６０３との双方を囲む（二つの等しい長さの平行線と二つの半円形からなる）角丸長方形の一つのメータリングが、違和感なく自然に表現されることとなる。
【００３０】
また、枠補間パーツ画像６０５としては、左右方向の中央に向かって少しずつ暗くなる画像を用いる。これにより、角丸長方形のメータリングが、左右に向かって手前に迫り出しているようにユーザに視認させる立体的な視覚効果を実現できる。
次に、図６ｂは、表示モードとして、「ナビゲーション付加モード」が設定されているときの表示のようすを表している。
図６ｂ１に示すように、「ナビゲーション付加モード」では、表示オブジェクトとして、監視システムが出力するグラフィックスオブジェクトである、円形の燃料計内蔵スピードメータ画像６１１と、ナビゲーションシステムが出力するグラフィックスオブジェクトである、ナビゲーション画面６１２と、監視システムが出力するグラフィックスオブジェクトである、円形の温度計内蔵タコメータ画像６１３と、二つの枠補間パーツ画像６１４とを表示オブジェクトとし、図６ｂ２に示すように、燃料計内蔵スピードメータ画像６１１、ナビゲーション画面６１２、温度計内蔵タコメータを画像６１３当該順序で左から配置すると共に、二つの枠補間パーツ画像６１４を画面の左右方向中央に上下に一つずつ配置した画像をディスプレイ１０１に表示する。すなわち、図６ｂ２に示す画像を定義するように、表示モードテーブルの「ナビゲーション付加モード」の表示オブジェクト情報を登録しておく。
【００３１】
また、「ナビゲーション付加モード」では、図６ｂ３に示すように、左の枠エレメント１０２が燃料計内蔵スピードメータ画像６１１の左側を囲み、右の枠エレメント１０２が温度計内蔵タコメータ画像６１３の右側を囲むように、左右に離間して位置づける。すなわち、左右の枠エレメント１０２が図６ｂ３に示す位置となるように、表示モードテーブルの「ナビゲーション付加モード」の枠エレメント位置を登録しておく。
【００３２】
また、「ナビゲーション付加モード」において用いる二つの枠補間パーツ画像６１４は、図６ｂ３に示す左右の枠エレメント１０２が左右に離れた配置において、左右の枠エレメント１０２の上の端同士と下の端同士をそれぞれ連結する形状と配置でディスプレイ１０１に表示する。
【００３３】
この結果、図６ｂ３に示すように、左右の枠エレメント１０２と上下の枠補間パーツ画像６１４によって、燃料計内蔵スピードメータ画像６１１とナビゲーション画面６１２と温度計内蔵タコメータ画像６１３との全てを囲む（二つの等しい長さの平行線と二つの半円形からなる）角丸長方形の一つのメータリングが、違和感なく自然に表現されることとなる。
また、ここでも、枠補間パーツ画像６１４としては、左右方向の中央に向かって少しずつ暗くなる画像を用いる。これにより、角丸長方形のメータリングが、左右に向かって手前に迫り出しているようにユーザに視認させる立体的な視覚効果を実現できる。
ところで、このように図６ａ、ｂのように枠補間パーツ画像の表示を行う場合、図６ｂ３に示したように、下の枠補間パーツ画像の上に、さらに他の情報６５０を表示するようにしてもよい。図示した例では、情報６５０として、ＡＶシステムが出力する再生中楽曲の楽曲名を表示している。このように、枠補間パーツ画像６１４の上で情報の表示を行うことにより、当該情報の表示を含め、一体感のある表示を実現することができる。
【００３４】
以上、本発明の実施形態について説明した。
なお、以上の実施形態は、上述のように表示オブジェクトを配置して生成した画像の明度を、画像処理もしくはディスプレイ１０１の駆動の制御によって、下方ほど大きな減少率で減少させてディスプレイ１０１に表示することにより、メータ画像の表示を、メータの上方が下方よりも手前に迫り出しているように視認させる視覚効果をもって行うようにしてもよい。
【００３５】
また、以上の実施形態は、表示モードの切り替え時の表示の切り替えを、表示制御処理において適当なトランジション効果を与えながら行うようにしてもよい。
すなわち、たとえば、制御装置１２は、図５ａに示した「バックカメラ付加モード」から図６ｂに示した「ナビゲーション付加モード」への切り替えを、図７に示すように、図５ａに示した円環状のメータリングが右方向に、バックカメラ画像５０２を右方向に押し出しながら、図６ｂに示した角丸長方形のメータリングが形成されるまで拡大していくと共に、当該拡大に伴って、燃料計内蔵スピードメータ画像５０１の後ろから温度計内蔵タコメータ画像６１３やナビゲーション画面６１２が右方向に引き出されていくようすを表すように、ディスプレイ１０１の表示や右の枠エレメント１０２の移動を制御するようにしてもよい。
【００３６】
また、以上の実施形態では、半円環状の左右の枠エレメント１０２を用いたが、これは、図８ａ１、ａ２に示すように、左右の枠エレメント１０２に代えて、四角形の枠の左半分の形状を有する左の枠エレメント８０１と、四角形の枠の右半分の形状を有する右の枠エレメント８０２とを用いるようにしてもよい。
【００３７】
また、以上の実施形態では、左右の枠エレメント１０２を左右方向に移動可能に設けたが、図８ｂ１、ｂ２に示すように枠エレメント１０２を上下に配置し、上下の枠エレメント１０２を上下に移動するようにしてもよい。また、この場合には、図示するように、上下の枠エレメント１０２を複数セット設けるようにしてもよい。なお、枠エレメント１０２を上下に配置した場合には、枠補間パーツ画像で、上下の枠エレメント１０２の左側端同士、右側端同士を上下に連結するようにする。
【００３８】
また、以上の実施形態では、半円環状の左右二つの枠エレメント１０２を用いたが、これは、半円環状の左右二つの枠エレメント１０２に代えて、図９ａに示すように、円環の左上1/4の部分、左下1/4の部分、右下1/4の部分、右上1/4の部分に対応する。上下左右の４つの1/4円環状の枠エレメント９０１を用いるようにしてもよい。
【００３９】
ただし、この場合には、４つの1/4円環状の枠エレメント９０１のそれぞれに対して上述した移動ユニットを設け、各枠エレメント９０１が、独立して左右に移動可能なようにする。
このように、４つの1/4円環状の枠エレメント９０１を用いた場合にも、半円環状の左右二つの枠エレメント１０２を用いた場合と同様に、図９ｂに示すよう枠エレメント９０１を連結させて一つの円環状のメータリングを形成したり、図９ｃに示すように、枠エレメント９０１で左右二つの半円部分を形成し上下の二つの直線部分を枠補間パーツ画像で形成した角丸長方形の一つのメータリングを表現することができる。
【００４０】
また、このように、４つの1/4円環状の枠エレメント９０１を、適当な枠補間パーツ画像の表示と共に用いることにより、図１０ａに示すように３つの円形のメータリングを表現したり、図１０ｂに示すように４つ円形のメータリングを表現したり、図１０ｃに示すように一つの角丸長方形のメータリングと一つの円形のメータリングを表現したり、図１０ｄに示すように入れ子状に配置された二つの角丸長方形のメータリングを表現することができる。
【００４１】
また、さらには、４つの1/4円環状の枠エレメント９０１を、適当な枠補間パーツ画像の表示と共に用いて、図１０ｅに示すような現実のメータリングでは実現困難な形態のメータリングを表現したり、図１０ｆに示すような異形の枠を表現することもできる。
以上のように、本実施形態によれば、枠エレメントの移動と枠補間パーツ画像の表示により、枠のサイズや形態を任意に設定できるので、メータリングを備えたメータ等の枠で囲まれた表示器を、多様な形態、サイズで一体感ある自然な形態で表現することができる。
【符号の説明】
【００４２】
１０…ディスプレイユニット、１１…ディスプレイコントローラ、１２…制御装置、１３…入力装置、１４…記憶装置、１５…機能システム、１０１…ディスプレイ、１０２…枠エレメント、１０３…移動機構、１０２１…上部連結部材、１０２２…下部連結部材、１０４１…ガイドレール、１０４２…ネジ、１０４３…移動ステージ、１０４４…アクチュエータ。
【図１】
2014202516.tif 000003
【図２】
2014202516.tif 000004
【図３】
2014202516.tif 000005
【図４】
2014202516.tif 000006
【図５】
2014202516.tif 000007
【図６】
2014202516.tif 000008
【図７】
2014202516.tif 000009
【図８】
2014202516.tif 000010
【図９】
2014202516.tif 000011
【図１０】
2014202516.tif 000012